(57)【要約】【課題】複数の心電波形成分を一部の区間の波形を削減して同一画面に表示又は同一の記録用紙に印刷する場合でも、ユーザに提供する心電波形の情報の欠落を抑制できる心電計を提供すること。【解決手段】削減波形出力ステップでは、所定期間の四肢誘導波形と胸部誘導波形とを、一部の区間の波形を削減して、同一画面に表示又は同一の記録用紙に印刷する。一方、非削減波形出力ステップでは、前記所定期間の四肢誘導波形と胸部誘導波形とを、前記一部の区間の波形を削減せずに、同一画面に表示又は同一の記録用紙に印刷する。【選択図】図４
2014033940.tif 000002
【特許請求の範囲】
【請求項１】
所定期間の四肢誘導波形と胸部誘導波形とを、一部の区間の波形を削減して、同一画面に表示又は同一の記録用紙に印刷する削減波形出力ステップと、
前記所定期間の四肢誘導波形と胸部誘導波形とを、前記一部の区間の波形を削減せずに、同一画面に表示又は同一の記録用紙に印刷する非削減波形出力ステップと、
を含む、心電波形出力方法。
【請求項２】
前記削減波形出力ステップでは、前記四肢誘導波形を表示又は印刷する領域と、前記胸部誘導波形を表示又は印刷する領域との割合を可変にする、
請求項１に記載の心電波形出力方法。
【請求項３】
前記非削減波形出力ステップを行い、
ユーザによって印刷が指示された場合にのみ、前記削減波形出力ステップによって、所定期間の四肢誘導波形と胸部誘導波形とを、一部の区間の波形を削減して、同一の記録用紙に印刷する、
請求項１又は請求項２に記載の心電波形出力方法。
【請求項４】
前記削減波形出力ステップでは、コンティニュアス方式又はコヒーレント方式で、前記所定期間の四肢誘導波形と胸部誘導波形とを、一部の区間の波形を削減して、同一画面に表示又は同一の記録用紙に印刷する、
請求項１から請求項３のいずれか一項に記載の心電波形出力方法。
【請求項５】
測定した心電波形を、表示部に表示するとともに記録用紙に印刷する心電計であって、
前記表示部又は記録用紙に、
所定期間の四肢誘導波形と胸部誘導波形とを、一部の区間の波形を削減して、同一画面に表示又は同一の記録用紙に印刷するとともに、前記所定期間の四肢誘導波形と胸部誘導波形とを、前記一部の区間の波形を削減せずに、同一画面に表示又は同一の記録用紙に印刷する、
心電計。
【発明の詳細な説明】
【技術分野】
【０００１】
本発明は、心電波形出力方法及び心電計に関する。
【背景技術】
【０００２】
従来、心臓疾患の診断指標として、心電図が広く用いられている。心電図は、心臓の電気的な活動を体表面で検出し、それを心電波形として表したものである。この心電波形（心電図）を解析することで、心臓の活動に関する様々な情報を得ることができる。
【０００３】
近年では、心電図をデータ化して記録するデジタル心電計の開発により、コンピュータを用いて心電図を自動解析することが可能となっている（例えば特許文献１参照）。
【先行技術文献】
【特許文献】
【０００４】
【特許文献１】特開２００６−１１６２０７号公報
【発明の概要】
【発明が解決しようとする課題】
【０００５】
ところで、心電計では、画面サイズや用紙サイズに制限があるので、全ての心電波形を画面に表示したり、記録用紙に印刷するのではなく、一部の区間の波形を削減して、表示及び印刷を行うようになっている。例えば標準１２誘導心電図（以下、単に「１２誘導心電図」という）においても、解析に用いられる所定期間の心電波形のうちの一部の期間の心電波形のみを、表示及び印刷するようになっている。
【０００６】
そのため、ユーザは、削除されて表示や印刷がされなかった波形がどのような状態なのかを、確認することができない。例えば、削除されて表示や印刷がされなかった波形にノイズが乗っていた場合でも、ユーザはそれを確認できないことが多い。
【０００７】
この結果、例えば心電計がノイズを検出して「記録不良」と判断してこのことを表示しても、ユーザはそのノイズの乗った波形を見ることができず、その存在すら確認できないといった不都合が生じ得る。また「記録不良」となった場合は、後から１２誘導心電図を取り直す必要があり、ユーザや被検者に大きな負担がかかる。
【０００８】
本発明の目的は、複数の心電波形成分を一部の区間の波形を削減して同一画面に表示又は同一の記録用紙に印刷する場合でも、ユーザに提供する心電波形の情報の欠落を抑制できる、心電波形出力方法及び心電計を提供することである。
【課題を解決するための手段】
【０００９】
本発明の心電波形出力方法の一つの態様は、
所定期間の四肢誘導波形と胸部誘導波形とを、一部の区間の波形を削減して、同一画面に表示又は同一の記録用紙に印刷する削減波形出力ステップと、
前記所定期間の四肢誘導波形と胸部誘導波形とを、前記一部の区間の波形を削減せずに、同一画面に表示又は同一の記録用紙に印刷する非削減波形出力ステップと、
を含む。
【００１０】
本発明の心電計の一つの態様は、
測定した心電波形を、表示部に表示するとともに記録用紙に印刷する心電計であって、
前記表示部又は記録用紙に、
所定期間の四肢誘導波形と胸部誘導波形とを、一部の区間の波形を削減して、同一画面に表示又は同一の記録用紙に印刷するとともに、前記所定期間の四肢誘導波形と胸部誘導波形とを、前記一部の区間の波形を削減せずに、同一画面に表示又は同一の記録用紙に印刷する。
【発明の効果】
【００１１】
本発明によれば、複数の心電波形成分を一部の区間の波形を削減して同一画面に表示又は同一の記録用紙に印刷する場合でも、ユーザに提供する心電波形の情報の欠落を抑制できるようになる。
【図面の簡単な説明】
【００１２】
【図１】実施の形態の心電計の外観構成を示す斜視図
【図２】心電計の要部構成を示すブロック図
【図３】コンティニュアス方式の心電波形を示す図
【図４】全波形表示を示す図
【図５】分割ラインの位置を変化させた様子を示す図
【図６】分割ラインの位置を変化させた様子を示す図
【発明を実施するための形態】
【００１３】
以下、本発明の実施の形態について、図面を用いて詳細に説明する。
【００１４】
＜概略構成＞
図１は、本実施の形態の心電計の外観構成を示す斜視図である。心電計１００は、本体部１１０と、表示部１２０と、から構成されている。本体部１１０には、入力キー１０４やプリンタ部１０５が設けられている。表示部１２０にはタッチパネル１２１が設けられている。
【００１５】
本実施の形態の場合、タッチパネル１２１のサイズは、１５インチとなっている。１５インチのサイズは、概ねＡ４の用紙サイズに相当する。これにより、本実施の形態の心電計１００では、Ａ４サイズの用紙に記録したのと同様のレイアウト及び大きさの心電波形を、タッチパネル１２１上で見ることができるようになる。
【００１６】
図２は、心電計１００の要部構成を示すブロック図である。本体部１１０は、演算部１０１、測定部１０２、記憶部１０３、入力キー１０４、プリンタ部１０５及び表示／印刷制御部１０６を有する。
【００１７】
演算部１０１は、心電図データ処理プログラムを実行することにより、心電波形の形成、及び、心電波形の解析などを行う。また、演算部１０１は、心電図データ処理プログラムの実行開始、実行停止及び実行条件（閾値など）設定、測定部１０２などの各種計測機器制御、タッチパネル１２１やプリンタ部１０５などの各種周辺機器制御を、入力コマンドに従って行う。
【００１８】
測定部１０２は、被検者（つまり、心電図計測の対象者）に装着される電極部に接続されており、電極部から入力される測定電圧に対して増幅処理などを施し、処理後の測定電圧を演算部１０１に出力する。因みに、測定部１０２には、通常、四肢用電極部及び胸部用電極部が接続されており、１２誘導心電図を得るために必要な電圧が入力される。
【００１９】
記憶部１０３は、ハードディスクドライブや半導体メモリなどにより構成される。記憶部１０３は、演算部１０１により得られた心電波形のデータ及びその解析データを記憶する。また、記憶部１０３は、測定部１０２から出力される測定データも記憶しておく。
【００２０】
さらに、記憶部１０３には、タッチパネル１２１又は入力キー１０４からユーザによって入力された、心電計１００の設定データも記憶される。心電計１００は、記憶部１０３に記憶された設定データに基づいて動作する。
【００２１】
タッチパネル１２１には、メニュー画面や各種の設定画面が表示され、ユーザは、タッチパネル１２１をタッチ操作することで、メニューの選択や各種の設定を行うことができるようになっている。また、タッチパネル１２１には、演算部１０１により得られた心電波形及び解析結果などが表示される。
【００２２】
プリンタ部１０５は、レーザ式やサーマルヘッド式などのプリンタであり、演算部１０１により得られた心電波形及び解析結果などを、ユーザによる指示に従って印刷する。
【００２３】
表示／印刷制御部１０６は、タッチパネル１２１の画面に表示する、及び、プリンタ部１０５で記録用紙に印刷する、心電波形のレイアウトを制御する。つまり、以下で説明する心電波形の表示及び印刷の制御は、主に表示／印刷制御部１０６によって行われる。
【００２４】
＜心電波形の表示及び印刷＞
次に、本実施の形態の心電計１００における、心電波形の表示及び印刷について説明する。ここでは、１２誘導検査の心電波形を、１５インチのタッチパネル１２１に表示し、及び、Ａ４サイズの記録用紙に印刷する場合を例にとって説明する。
【００２５】
図３は、本実施の形態の心電計１００によって表示及び印刷される、コンティニュアス方式の心電波形を示す。図３に示すコンティニュアス方式の心電波形では、１２誘導心電波形のうち、四肢誘導波形Ｉ、II、III、ａＶＲ、ａＶＬ、ａＶＦが左側に配置され、胸部誘導波形Ｖ１、Ｖ２、Ｖ３、Ｖ４、Ｖ５、Ｖ６が右側に配置される。これは、波形の振幅を維持しつつ、１２誘導波形を一括して１画面に表示及び１枚の記録用紙に印刷するために慣例的に行われている工夫である。
【００２６】
そもそも標準的な心電図は、掃引速度２５ｍｍ／ｓｅｃ、振幅１０ｍｍ／ｍＶとして表示及び印刷される。この波形サイズが、波形異常（波形１拍の形状の異常）や不整脈（波形１拍毎の間隔などの異常）を診断する際に使われる標準的な大きさである。
【００２７】
印刷される用紙の大きさは、診療録（カルテ）の大きさ（Ａ４サイズ）と同程度またはこれ以下であり、印刷されるレポートの枚数も合わせて数ページとすることが現実的である。また、１２誘導心電図の波形レポート（心電図波形の数拍分の記録）は、四肢誘導６波形、胸部誘導６波形が必要であり、波形サイズや用紙の大きさを勘案して、Ａ４サイズ１ページに記録する場合、左側に四肢誘導６波形、右側に胸部誘導６波形を印刷するようになっている。
【００２８】
さらに具体的には、コンティニュアス方式では、１０秒間の心電波形のうち、前半の０〜５秒の四肢誘導波形を左側に表示及び印刷し、続く後半の５〜１０秒の胸部誘導波形を右側に表示及び印刷するようになっている。このように、コンティニュアス方式では、所定期間（例えば１０秒間）の四肢誘導波形と胸部誘導波形とを、一部の区間（例えば前半５秒間、又は、後半５秒間）の波形を削減して、同一画面に表示又は同一の記録用紙に印刷するようになっている。
【００２９】
ここで、コンティニュアス方式において、前半の５秒が四肢誘導、後半の５秒が胸部誘導となっているのは、Ａ４サイズの記録紙に、たとえ誘導が切り替わったとしても全秒数（１０秒）の波形をできるだけ記録したいという要求からである。
【００３０】
因みに、心電波形の一部の区間の波形を削減して表示及び印刷する別の方式として、コヒーレント方式と呼ばれる方式がある。コヒーレント方式では、１０秒間の波形のうち、前半の０〜５秒の四肢誘導波形を左側に表示及び印刷し、前半の０〜５秒の胸部誘導波形を右側に表示及び印刷するようになっている。
【００３１】
このコンティニュアス方式及びコヒーレント方式は、限られた大きさの１画面及び１枚の記録用紙の中に、できるだけ波形の振幅を縮めずに、ユーザ（医師）が診断し易いよう、１２誘導波形を一括して表示及び印刷可能に心電波形を配置したものであり、従来から広く用いられている表示・記録方式である。
【００３２】
しかし、上述したように、これらの方式では、一部の区間の波形が削減されている。そのため、削除されて表示や印刷がされなかった波形がどのような状態なのかを、確認することができない。例えば、削除されて表示や印刷がされなかった波形にノイズが乗っていた場合でも、ユーザはそれを確認できないことが多い。この結果、例えば心電計がノイズを検出して「記録不良」と判断してこのことを表示しても、ユーザはそのノイズの乗った波形を見ることができず、その存在すら確認できないといった不都合が生じ得る。また「記録不良」となった場合は、後から１２誘導心電図を取り直す必要があり、ユーザや被検者に大きな負担がかかる。
【００３３】
そこで、本実施の形態では、図４に示すように、図３とは別画面で、コンティニュアス方式（又はコヒーレント方式）で削減した一部の区間の波形を削減せずに、つまり、所定期間内（例えば１０秒間）の全波形を表示するようになっている。因みに、図４の例では、２０秒間の波形が表示されているが、１０秒間の波形を表示してもよい。要は、コンティニュアス方式やコヒーレント方式で削減された波形を含む心電波形を、コンティニュアス方式やコヒーレント方式で表示／印刷された画面／用紙とは、別の画面／用紙で出力すればよい。
【００３４】
なお、図４の例では全波形（２０秒間）を表示するために波形の振幅を小さくし、掃引速度を１２.５ｍｍ/ｓｅｃとしている。１拍ごとの波形の形状の視認性は劣るが、ノイズの乗った波形の有無を確認することは可能である。
【００３５】
このようにすることで、ユーザに提供する心電波形の情報の欠落を抑制でき、ユーザは必要に応じて、より詳細な心電波形の情報を取得できるようになる。
【００３６】
加えて、本実施の形態では、四肢誘導波形を表示又は印刷する領域と、胸部誘導波形を表示又は印刷する領域との割合を変化させることができるようになっている。具体的には、図３、図５及び図６に示すように、四肢誘導波形と胸部誘導波形とを分割する位置に分割ライン１３０を表示し、この分割ライン１３０の位置を変化させることで、四肢誘導波形と胸部誘導波形との割合を変化させるようになっている。分割ライン１３０の位置は、例えばユーザがタッチパネル１２１上で分割ライン１３０を指でドラッグすることで移動できるようにすればよい。
【００３７】
図３は、四肢誘導波形と胸部誘導波形とが等しい割合で表示された例を示す。図５は、四肢誘導波形の割合が胸部誘導波形の割合よりも大きくされて表示された例を示す。図６は、四肢誘導波形の割合が胸部誘導波形の割合よりも小さくされて表示された例を示す。
【００３８】
このようにすることで、表示の割合を多くすれば、本来削減されて表示されなかった波形を表示できるようになるので、ユーザは必要に応じて、より詳細な心電波形の情報を取得できるようになる。
【００３９】
以上説明したように、本実施の形態によれば、一部の区間の波形を削減して表示及び又は印刷するのに加えて、その表示画面及び又は記録用紙とは別の表示画面及び又は記録用紙で、前記一部の区間の波形を削減せずに表示及び又は印刷を行うようにしたことにより、複数の心電波形成分を一部の区間の波形を削減して同一画面に表示又は同一の記録用紙に印刷する場合でも、ユーザに提供する心電波形の情報の欠落を抑制できるようになる。
【００４０】
例えば、ユーザは、図４に示したような波形が削減されていない心電波形を見て、ノイズが乗っているか否かを確認し、ノイズが乗っている場合には、図３に示すような一部の波形が削減された波形レポートを印刷しないように操作すれば、無駄な印刷をしなくて済むようになる。また、心電波形を取り直さなければならないことがその場でわかり、迅速に対応できる。
【００４１】
なお、上述の実施の形態では、タッチパネル１２１を採用したが、これに限らず、表示部と入力部が分かれて構成されていてもよい。例えば、上述の実施の形態のような画像を表示部に表示し、マウスカーソルを用いて分割ライン１３０の位置を移動させてもよい。
【００４２】
以上、本発明の実施の形態について説明した。なお、以上の説明は本発明の好適な実施の形態の例証であり、本発明の範囲はこれに限定されない。つまり、上記実施の形態において説明した装置の構成および動作は例であり、これらを本発明の範囲において部分的に変更、追加および削除できることは明らかである。
【符号の説明】
【００４３】
１００  心電計
１０１  演算部
１０２  測定部
１０３  記憶部
１０４  入力キー
１０５  プリンタ部
１０６  表示／印刷制御部
１１０  本体部
１２０  表示部
１２１  タッチパネル
１３０  分割ライン
【図１】
2014033940.tif 000003
【図２】
2014033940.tif 000004
【図３】
2014033940.tif 000005
【図４】
2014033940.tif 000006
【図５】
2014033940.tif 000007
【図６】
2014033940.tif 000008